(57)【要約】      （修正有）【課題】軽量な天井パネルを、落下時に危険な部品を取り付けないでも容易に連結することができる、嵌め込みジョイナー及びこれを用いたパネルの嵌め込み方法を提供する。【解決手段】嵌め込みジョイナー１は、一方の面１０４と他方の面１０６の両面を有し、端面１０２がその両面を厚さ方向に接続する平面状のパネル１００を、長尺方向に延伸する底板１２とカバー板２２とで両面を挟持する長尺のジョイナーであって、該底板およびその表面側に平行に立設させた一対の側板14Ｌ、14Ｒを有する長尺のΠ字型底面部材１０と、該カバー板およびその表面側に立設させた挿入板２４を有する長尺のＴ字型カバー部材２０と、を含み、該Π字型底面部材と該Ｔ字型カバー部材の表面同士を対向させ、該一対の側板の内面側に該挿入板を嵌入させて、該端面を該一対の側板の何れかの外面側に当接させた該パネルを、該底板と該カバー板間に挟持して固定し得る。【選択図】図１
2018096048.tif 000002
【特許請求の範囲】
【請求項１】
一方の面と他方の面の両面を有し、端面がその両面を厚さ方向に接続する平面状のパネルを、長尺方向に延伸する底板とカバー板とで該両面を挟持する長尺のジョイナーであって、
前記底板およびその表面側に平行に立設させた一対の側板を有する長尺のΠ字型底面部材と、
カバー板およびその表面側に立設させた挿入板を有する長尺のＴ字型カバー部材と、
を含み、
前記Π字型底面部材と前記Ｔ字型カバー部材の表面同士を対向させ、前記一対の側板の内面側に前記挿入板を嵌入させて、前記端面を該一対の側板の外面側に当接させたパネルを、前記底板と前記カバー板間に挟持して固定し得る、嵌め込みジョイナー。
【請求項２】
前記底板の表面側に平行に立設させた一対の側板は、その内面側に鋸歯状刻みを有し、
前記カバー板の表面側に立設させた挿入板は、その両外面側に鋸歯状刻みを有し、
前記一対の側板の内面側に前記挿入板を嵌入させ、該一対の側板の内面側に設けた鋸歯状刻みに、該挿入板の両外面側に設けた鋸歯状刻みを係止させて、前記Ｔ字型カバー部材を前記Π字型底面部材に固定し得る、請求項１に記載の嵌め込みジョイナー。
【請求項３】
前記長尺のΠ字型底面部材は、前記底板の前記平行に立設させた一対の側板の外面側に、長尺方向に沿って穿設した１又は複数の螺子孔を有し、
該平行に立設させた一対の側板は、表面方向の先端部がそれぞれ外面側方向に折曲して、前記底板と平行な上底板を形成しており、
該上底板と該底板間に前記パネルの端面を前記一対の側板方向に嵌入させてこれを挟持すると共に、該一対の側板の内面側に前記挿入板を嵌入させて該上底板と前記カバー板とを当接させ、
該底板に穿設した該螺子孔から螺子を該カバー板方向に挿入し、該パネル中に係止させて該パネルを固定し得る、請求項１に記載の嵌め込みジョイナー。
【請求項４】
前記Ｔ字型カバー部材のカバー板の両端部を、表面側に折曲させて反り返部を形成し、
前記底板の螺子孔から該カバー板方向へ前記螺子を挿入し、前記上底板と該底板の間に挟持した前記パネルを貫通させ、該螺子の先端を該カバー板に当接させ、該上底板の外縁側と該反り返部の内面側との間に該螺子の先端部を断面直径方向に挟み込んで固定すると共に、該上底板と該底板間に挟持した該パネルを、該反り返部の表面方向の先端で抑圧し固定する、請求項３に記載の嵌め込みジョイナー。
【請求項５】
（１）Π字型底面部材とＴ字型カバー部材とを準備するステップと、
（２）パネルを準備するステップと、
（３）前記Π字型底面部材と前記Ｔ字型カバー部材の表面同士を対向させ、前記一対の側板の内面側に前記挿入板を嵌入させるステップと、
（４）前記パネルの端面を、前記一対の側板の何れかの外面側に当接させるステップと、
（５）前記一対の側板の内面側に前記挿入板をさらに嵌入させて、前記パネルを、前記底板と前記カバー板間に挟持して固定するステップと、
を含む、嵌め込みジョイナーを用いたパネルの嵌め込み方法。
【発明の詳細な説明】
【技術分野】
【０００１】
本発明は、嵌め込みジョイナー及びこの嵌め込みジョイナーを用いたパネルの嵌め込み方法に関する。
【背景技術】
【０００２】
近年、大規模な地震が頻発し、天井パネルの落下による危険が問題となっている。そのため、大規模天井の脱落対策として、国土交通省の告示第７７１号が平成２６年４月１日より施行されている。
【０００３】
そのため、紙製の布帛などを用いた軽量の天井用パネルなども開発されているが（特許文献１〜４）、このような天井用パネルを連結させる方法についてはまだ確立されていない。
【０００４】
特許文献５には、天井パネルを用いた天井構造が開示されているが、室内に広がりを持たせると共に工期短縮を図る目的でなされた発明であり、天井パネルを天井材とこの裏側両側部に桟材を設けて構成し、ジョイナーにより桟材を固定して天井パネルを連結し、天井構造を構成している。この天井パネルは、上記のように、天井材の裏側両側部に桟材を設けているので、地震等で落下したときに桟材が凶器となりかねず、ジョイナーによる天井パネルの固定も単純な挿入のみで、天井構造全体の安全性については考慮されていない。
【０００５】
【特許文献１】特開２００９−７６８９号公報
【特許文献２】特開２００９−７６８８号公報
【特許文献３】特開２００９−６５４６号公報
【特許文献４】特開２００７−２６０９号公報
【特許文献５】特開平７−１８９４０１号公報
【発明の概要】
【発明が解決しようとする課題】
【０００６】
そこで、本発明は、軽量な天井パネルを、落下時に危険な部品を取り付けないで容易に連結することができる、嵌め込みジョイナー及びこの嵌め込みジョイナーを用いたパネルの嵌め込み方法を提供する。
【課題を解決するための手段】
【０００７】
本発明に係る嵌め込みジョイナーは、一方の面と他方の面の両面を有し、端面がその両面を厚さ方向に接続する平面状のパネルを、長尺方向に延伸する底板とカバー板とで該両面を挟持する長尺のジョイナーであって、
前記底板およびその表面側に平行に立設させた一対の側板を有する長尺のΠ字型底面部材と、カバー板およびその表面側に立設させた挿入板を有する長尺のＴ字型カバー部材と、を含み、前記Π字型底面部材と前記Ｔ字型カバー部材の表面同士を対向させ、前記一対の側板の内面側に前記挿入板を嵌入させて、前記端面を該一対の側板の外面側に当接させたパネルを、前記底板と前記カバー板間に挟持して固定し得る。
【０００８】
本発明に係る嵌め込みジョイナーにおいて、前記底板の表面側に平行に立設させた一対の側板は、その内面側に鋸歯状刻みを有し、前記カバー板の表面側に立設させた挿入板は、その両外面側に鋸歯状刻みを有し、前記一対の側板の内面側に前記挿入板を嵌入させ、該一対の側板の内面側に設けた鋸歯状刻みに、該挿入板の両外面側に設けた鋸歯状刻みを係止させて、前記Ｔ字型カバー部材を前記Π字型底面部材に固定し得る。
【０００９】
本発明に係る嵌め込みジョイナーにおいて、前記長尺のΠ字型底面部材は、前記底板の前記平行に立設させた一対の側板の外面側に、長尺方向に沿って穿設した１又は複数の螺子孔を有し、該平行に立設させた一対の側板は、表面方向の先端部がそれぞれ外面側方向に折曲して、前記底板と平行な上底板を形成しており、該上底板と該底板間に前記パネルの端面を前記一対の側板方向に嵌入させてこれを挟持すると共に、該一対の側板の内面側に前記挿入板を嵌入させて該上底板と前記カバー板とを当接させ、該底板に穿設した該螺子孔から螺子を該カバー板方向に挿入し、該パネル中に係止させて該パネルを固定し得る。
【００１０】
本発明に係る嵌め込みジョイナーにおいて、前記Ｔ字型カバー部材のカバー板の両端部を、表面側に折曲させて反り返部を形成し、前記底板の螺子孔から該カバー板方向へ前記螺子を挿入し、前記上底板と該底板の間に挟持した前記パネルを貫通させ、該螺子の先端を該カバー板に当接させ、該上底板の外縁側と該反り返部の内面側との間に該螺子の先端部を断面直径方向に挟み込んで固定すると共に、該上底板と該底板間に挟持した該パネルを、該反り返部の表面方向の先端で抑圧し固定し得る。
【００１１】
本発明に係る嵌め込みジョイナーを用いたパネルの嵌め込み方法は、
（１）Π字型底面部材とＴ字型カバー部材とを準備するステップと、
（２）パネルを準備するステップと、
（３）前記Π字型底面部材と前記Ｔ字型カバー部材の表面同士を対向させ、前記一対の側板の内面側に前記挿入板を嵌入させるステップと、
（４）前記パネルの端面を、前記一対の側板の何れかの外面側に当接させるステップと、
（５）前記一対の側板の内面側に前記挿入板をさらに嵌入させて、前記パネルを、前記底板と前記カバー板間に挟持して固定するステップと、
を含む。
【発明の効果】
【００１２】
本発明に係る嵌め込みジョイナーは、軽量な天井パネルを、落下時に危険な部品を取り付けないでも容易に連結することができる。
【図面の簡単な説明】
【００１３】
【図１】本発明に係る嵌め込みジョイナーの正面分解図。
【図２】本発明に係る他の形態の嵌め込みジョイナーの正面分解図。
【図３（ａ）】本発明に係る更に他の形態における嵌め込みジョイナーの正面分解図。
【図３（ｂ）】本発明に係る更に他の形態における嵌め込みジョイナーの正面組み立て図。
【図４（ａ）】本発明に係る更に他の形態における嵌め込みジョイナーの正面分解図。
【図４（ｂ）】本発明に係る更に他の形態における嵌め込みジョイナーの正面組み立て図。
【図５（ａ）】本発明に係る更に他の形態における嵌め込みジョイナーの正面斜視図。
【図５（ｂ）】パネルを嵌め込んだ本発明に係る更に他の形態における嵌め込みジョイナーの正面斜視図。
【発明を実施するための形態】
【００１４】
以下、図面を参照しながら本発明に係る嵌め込みジョイナーの実施形態及び実施例について説明する。なお、以下各図面を通して同一の構成要素には同一の符号を使用するものとする。
［嵌め込みジョイナー］
【００１５】
図１に示すように、本発明に係る嵌め込みジョイナー１は、一方の面１０４と他方の面１０６の両面を有し、端面１０２がその両面を厚さ方向に接続する平面状のパネル１００を、長尺方向に延伸する底板１２とカバー板２２とで両面１０４、１０６を挟持する長尺のジョイナーである（図５参照）。
【実施例１】
【００１６】
実施例１に係る本発明の嵌め込みジョイナー１は、底板１２およびその表面側に平行に立設させた一対の側板１４Ｌ、１４Ｒを有する長尺のΠ字型底面部材１０と、カバー板２２およびその表面側に立設させた挿入板２４を有する長尺のＴ字型カバー部材２０とを含む。そして、Π字型底面部材１０とＴ字型カバー部材２０の表面同士を対向させ、一対の側板１４Ｌ、１４Ｒの内面側に挿入板２４を嵌入させて、端面１０２を一対の側板１４Ｌ、１４Ｒの外面側に当接させたパネル１００を、底板１２とカバー板２２間に挟持して固定し得る。
【００１７】
図２のように、底板１２の表面側に平行に立設させた一対の側板１４Ｌ、１４Ｒに、その内面側に鋸歯状刻み１５Ｌ、１５Ｒを設け、カバー板２２の表面側に立設させた挿入板２４には、その両外面側に鋸歯状刻み２５Ｌ、２５Ｒを設けるのが好適である。一対の側板１４Ｌ、１４Ｒの内面側に挿入板２４を嵌入させ、一対の側板１４Ｌ、１４Ｒの内面側に設けた鋸歯状刻み１５Ｌ、１５Ｒに、挿入板２４の両外面側に設けた鋸歯状刻み２５Ｌ、２５Ｒを係止させて、Ｔ字型カバー部材２０をΠ字型底面部材１０に強固に固定することができる。
【実施例２】
【００１８】
次に、実施例２に係る本発明の嵌め込みジョイナー１について、図３（ａ）、（ｂ）を参照して説明する。
【００１９】
実施例２に係る嵌め込みジョイナー１において、長尺のΠ字型底面部材１０は、底板１２の平行に立設させた一対の側板１４Ｌ、１４Ｒの外面側に、長尺方向に沿って穿設した１又は複数の螺子孔１３Ｌ、１３Ｒを有する。また、底板１２の表面側に平行に立設させた一対の側板１４Ｌ、１４Ｒは、表面方向の先端部がそれぞれ外面側方向に折曲して、表面方向と直角な上底板１６を形成している。すなわち、上底板１６を底板１２と平行に形成する。
【００２０】
上底板１６と底板１２間に、パネル１００の端面１０２を、一対の側板１４Ｌ、１４Ｒ方向に嵌入させて、パネル１００を上底板１６と底板１２間に挟持する。また、当該一対の側板１４Ｌ、１４Ｒの内面側に挿入板２４を嵌入させてカバー板２２を上底板１６に当接させ、一対の側板１４Ｌ、１４Ｒ間の溝孔を塞ぐ。そして、底板１２に穿設した螺子孔１３Ｌ、１３Ｒの裏面側から、螺子３０をカバー板２２方向に挿入してパネル１００を係止し、パネル１００を固定することができる。螺子３０は、パネル１００を貫通させて上底板１６で螺子３０の先端を受けるようにしてもよい。
【００２１】
このような実施例２に係る嵌め込みジョイナー１は、螺子３０をパネル１００中に挿入してパネル１００を係止するので、Ｔ字型カバー部材２０とΠ字型底面部材１０間により強固にパネル１００を固定することができる。さらに、Ｔ字型カバー部材２０の挿入板２４をΠ字型底面部材１０の一対の側板１４Ｌ、１４Ｒの内面側に嵌入させて、上底板１６をカバー板２２により抑圧することで、より強固にパネル１００を固定することができる。
【実施例３】
【００２２】
実施例２に係る嵌め込みジョイナー１の変形例である実施例３に係る嵌め込みジョイナー１を、図４（ａ）、（ｂ）及び図５（ａ）、（ｂ）を参照して以下に説明する。
【００２３】
実施例３に係る嵌め込みジョイナー１においては、Ｔ字型カバー部材２０のカバー板２２の両端部を、表面側に折曲させて反り返部２６Ｌ、２６Ｒを形成する。上記実施例２と同様に底板１２の螺子孔１３Ｌ、１３Ｒからカバー板２２方向へ螺子３０を挿入するが、本実施例３においては、螺子３０を上底板１６と底板１２の間に挟持したパネル１００を貫通させ、螺子３０の先端がカバー板２２に当接するまで挿入する。
【００２４】
先端がカバー板２２に当接した螺子３０は、その先端部の断面が、図４（ｂ）、図５（ｂ）のように、上底板１６の外縁側と反り返部２６Ｌ又は２６Ｒの内面側との間に直径方向に挟み込こまれて固定される。また、上底板１６と底板１２間に挟持したパネル１００の上底板１６側の面（他方の面）１０６を、反り返部２６Ｌ、２６Ｒの表面方向の先端で抑圧し、より強固にパネル１００を固定することができる。
［嵌め込みジョイナーの使用方法］
【００２５】
次に、本発明に係る嵌め込みジョイナーの使用方法について説明する。
【００２６】
本発明に係る嵌め込みジョイナーを用いたパネルの嵌め込み方法は、
（１）Π字型底面部材１０とＴ字型カバー部材２０とを準備するステップと、
（２）パネル１００を準備するステップと、
（３）Π字型底面部材１０とＴ字型カバー部材２０の表面同士を対向させ、一対の側板１４Ｌ、１４Ｒの内面側に挿入板２４を嵌入させるステップと、
（４）パネル１００の端面１０２を、一対の側板１４Ｌ、１４Ｒの何れかの外面側に当接させるステップと、
（５）一対の側板１４Ｌ、１４Ｒの内面側に挿入板２４をさらに嵌入させて、パネル１００を、底板１２とカバー板２２間に挟持して固定するステップと、
を含む。
【００２７】
以上、本発明に係る嵌め込みジョイナーおよびこれを用いた基礎工法について説明したが、本発明は上記実施形態及び実施例に限定されるものではない。
【００２８】
その他、本発明は、その主旨を逸脱しない範囲で当業者の知識に基づき種々の改良、修正、変更を加えた態様で実施できるものである。
【産業上の利用可能性】
【００２９】
本発明に係る嵌め込みジョイナーは、壁や天井を形成するパネルの連結具として用いることができる。
【符号の説明】
【００３０】
１：嵌め込みジョイナー
１０：Π字型底面部材
１２：底板
１３Ｌ、１３Ｒ：螺子孔
１４Ｌ、１４Ｒ：一対の側板
１５Ｌ、１５Ｒ：鋸歯状刻み
１６：上底板
２０：Ｔ字型カバー部材
２２：カバー板
２４：挿入板
２５Ｌ、２５Ｒ：鋸歯状刻み
２６Ｌ、２６Ｒ：反り返部
３０：螺子
１００：パネル
１０２：端面
１０４：一方の面
１０６：他方の面
【図１】
2018096048.tif 000003
【図２】
2018096048.tif 000004
【図３（ａ）】
2018096048.tif 000005
【図３（ｂ）】
2018096048.tif 000006
【図４（ａ）】
2018096048.tif 000007
【図４（ｂ）】
2018096048.tif 000008
【図５（ａ）】
2018096048.tif 000009
【図５（ｂ）】
2018096048.tif 000010